(57)【要約】【課題】トイガンのボルト部を往復移動させてリアルな射撃効果を得る、トイガンのボルトスライド機構の提供。【解決手段】主にトイガンのボルト部及び給弾機構であるギアボックスを含み、そのうち、前記ボルト部がトイガンの上部に設置され、前記ギアボックスがトイガンの底部に設置されると共に、前記ボルト部及び前記ギアボックスの間にスライド機構が設けられ、そのうち、前記スライド機構がシリンダー機構及び前記シリンダー機構に接続された往復機構を含み、前記往復機構内に弾性部材及び小ピストンが設置され、且つ、前記小ピストンが気密リングを備え、これにより、前記シリンダー機構内に充填された気体がシリンダー機構内の気密ピストンを圧するとき、同時に前記往復機構の弾性部材及び小ピストンを押し動かし、前記小ピストン上に接続されたボルト部を同時に往復移動させてリアルな射撃効果を得る。【選択図】図３
0003121578.tif 000002
【実用新案登録請求の範囲】
【請求項１】
トイガンのボルトスライド機構であって、主にトイガンのボルト部及び給弾機構であるギアボックスを含み、そのうち、前記ボルト部がトイガンの上部に設置され、前記ギアボックスがトイガンの底部に設置されると共に、前記ボルト部及び前記ギアボックスの間にスライド機構が設けられ、そのうち、前記スライド機構がシリンダー機構及び前記シリンダー機構に接続された往復機構を含み、前記往復機構内に弾性部材及び小ピストンが設置され、且つ、前記小ピストンが気密リングを備え、これにより、前記シリンダー機構内に充填された気体がシリンダー機構内の気密ピストンを圧するとき、同時に前記往復機構の弾性部材及び小ピストンを押し動かし、前記小ピストン上に接続されたボルト部を同時に往復移動させてリアルな射撃効果を得る構成としたことを特徴とするトイガンのボルトスライド機構。
【請求項２】
前記スライド機構Ｆ及び往復機構Ｈが、ピストル、ライフル、ガスガン、電動エアガン、ペイントボールガン及び関連の気体による移動圧力で本物の銃に類似した射撃動作を行うトイガンに設置可能である構成としたことを特徴とする請求項１に記載のトイガンのボルトスライド機構。
【考案の詳細な説明】
【技術分野】
【０００１】
本考案はトイガンのボルトスライド機構に関し、詳細には、トイガンの発射時にスライド機構に設置されたシリンダー機構及びシリンダー機構に接続された往復機構を介し、シリンダー機構内に充填された気体がシリンダー機構内の気密ピストンを押し動かすとき、同時に往復機構の弾性部材及び小ピストンを押し動かして小ピストン上に接続されたボルト部を同時に往復移動させ、リアルな射撃効果を得ることができる、トイガンのボルトスライド機構に関する。
【背景技術】
【０００２】
一般的にトイガンＡのボルトＡ１は、図１及び図２に示すように、トイガンＡの上銃身Ａ２及びトイガンＡのギアボックスＡ３間に位置回復シリンダーＢが設置され、そのうち、前記位置回復シリンダーＢ内に弾性部材Ｂ１が設置され、トイガンＡのボルトＡ１が後方に向かって動かされて固定されると、位置回復シリンダーＢ内に充填された気体により、位置回復シリンダーＢの前方に装填された銃弾を押し動かされて一回の射撃動作が完了される。しかしながら、一般的なトイガンＡの上銃身Ａ及びギアボックスＡ３間の位置回復シリンダーＢは、射撃時にトイガンＡのボルトＡ１を再度後方に向かって動かし固定する必要があり、トイガンＡのボルトＡ１は本物の銃に似た射撃効果を得ることができない。
【０００３】
このため、いかに上述の欠点を排除するかが、本考案が解決する技術的問題点である。
【考案の開示】
【考案が解決しようとする課題】
【０００４】
本考案の目的は、トイガンのボルト部を往復移動させてリアルな射撃効果を得る、トイガンのボルトスライド機構を提供することにある。
【課題を解決するための手段】
【０００５】
本考案のトイガンのボルトスライド機構は、主にトイガンのボルト部及び給弾機構であるギアボックスを含み、そのうち、前記ボルト部がトイガンの上部に設置され、前記ギアボックスがトイガンの底部に設置されると共に、前記ボルト部及び前記ギアボックスの間にスライド機構が設けられ、そのうち、前記スライド機構がシリンダー機構及び前記シリンダー機構に接続された往復機構を含み、前記往復機構内に弾性部材及び小ピストンが設置され、且つ、前記小ピストンが気密リングを備え、これにより、前記シリンダー機構内に充填された気体がシリンダー機構内の気密ピストンを圧するとき、同時に前記往復機構の弾性部材及び小ピストンを押し動かし、前記小ピストン上に接続されたボルト部を同時に往復移動させてリアルな射撃効果を得ることを可能にする。    
【考案の効果】
【０００６】
本考案の進歩性と実用性をよりはっきりと示すため、以下、従来品と比較して分析する。
《従来品の欠点》
一、トイガンの操作過程において、本物の銃のようなリアルな射撃効果が得られない。
二、トイガンの位置回復シリンダーは、一回の位置決め射撃動作しかできない。
三、位置回復シリンダー及びボルトを射撃時に往復移動させることができない。
《本考案の利点》
一、ボルト部及びギアボックス間のスライド機構が往復移動を提供する。
二、シリンダー機構内の気体の圧力により、ボルト部に往復移動をさせることができる。
三、銃弾の発射とボルト部が同時に移動し、トイガン操作の流れを簡略化できる。
四、気体の反作用力である押圧力を利用し、ボルト部に元の位置を回復させることができる。
五、進歩性と実用性を備えている。
六、産業的利用価値を向上できる。      
【考案を実施するための最良の形態】
【０００７】
以下、本考案について、図面、符号及び実施例に基づき詳細に説明する。本考案のトイガンのボルトスライド機構は、図３及び図４に示すように、主にトイガンＣの上銃身Ｄ、ギアボックスＥ、ボルト部Ｆ、スライド機構Ｇから構成される。
【０００８】
そのうち、前記上銃身ＤはトイガンＣのボルト部Ｆと、給弾機構であるギアボックスＥを備え、前記ボルト部ＦはトイガンＣの上部に設置され、前記ギアボックスＥはトイガンＣの底部に設置されると共に、前記ボルト部Ｆ及びギアボックスＥ間にスライド機構Ｇが設置される。
【０００９】
そのうち、前記スライド機構Ｇはシリンダー機構Ｇ１と、前記シリンダー機構Ｇ１に接続された往復機構Ｈを含み、前記シリンダー機構Ｇ１は気密ピストンＧ２と、前記シリンダー機構Ｇ１に接続されたピストンヘッドＧ３を備え、また、前記ピストンヘッドＧ３は発射室Ｇ４を備えている。
【００１０】
そのうち、前記往復機構Ｈは弾性部材Ｈ１と、前記ボルト部Ｆに接続された小ピストンＨ２を備え、前記小ピストンＨ２は気密リングＨ３を有し、且つ、その一端がボルト部Ｆに接続され、前記スライド機構Ｇのシリンダー機構Ｇ１と相互に対応する。
【００１１】
これにより、前記シリンダー機構Ｇ１内に充填された気体が前記シリンダー機構Ｇ１内の気密ピストンＧ２を押し動かすと、同時に前記往復機構Ｈの弾性部材Ｈ１及び気密リングＨ３を備えた小ピストンＨ２が押し動かされ、小ピストンＨ２上に接続されたボルト部Ｆが射撃状態の時に同時に往復移動してリアルな射撃効果を得ることができる。
【００１２】
本考案の実施方式は、図５、図６、図７に示すように、前記トイガンＣの上部にボルト部Ｆが設けられ、前記トイガンＣの底部にギアボックスＥが設けられると共に、前記ボルト部Ｆ及びギアボックスＥ間にスライド機構Ｇが設置される。シリンダー機構Ｇ１内の気体がシリンダー機構Ｇ１の気密ピストンＧ２を押し動かすとき、同時に往復機構Ｈの弾性部材Ｈ１及び気密リングＨ３を備えた小ピストンＨ２が押し動かされ、前記小ピストンＨ２に接続されたボルト部Ｆに同時に往復移動の射撃動作を発生させることができる。
【００１３】
また、前記スライド機構Ｆのシリンダー機構Ｇ１及び前記シリンダー機構Ｇ１に接続された往復機構Ｈは、シリンダー機構Ｇ１内に充填された気体により、発射室Ｇ４に装填された銃弾を射出することができ、同時に、シリンダー機構Ｇ１の気密ピストンＧ２がシリンダー機構Ｇ１内の気体により往復機構Ｈの小ピストンＨ２を同時に押し動かし、前記小ピストンＨ２に接続されたボルト部Ｆがさらに同時にボルト部Ｆに接続されたスライド突出部Ｆ１を動かして、トイガンＣの射撃過程において本物の銃のようなリアルな射撃効果を得ることを可能にする。
【００１４】
シリンダー機構Ｇ１内に充填された気体がシリンダー機構Ｇ１の気密ピストンＧ２を押し動かした後、同時に往復機構Hの小ピストンＨ２及び弾性部材Ｈ１が、気体の押圧の反作用力により、前記小ピストンＨ２に接続されたボルト部Ｆ及び前記ボルト部Ｆに接続されたスライド突出部Ｆ１を、シリンダー機構Ｇ１内の気体の反作用力により、毎回の射撃の状態下で気体の反対方向に押す力を介して移動させ、ボルト部Ｆ及びスライド突出部Ｆ１が元の発射位置を回復する。
【００１５】
そのうち、前記スライド機構Ｆ及び往復機構Ｈは、ピストル、ライフル、ガスガン、電動エアガン、ペイントボールガン及びその他関連の気体による移動圧力を利用する本物の銃に類似した射撃動作を持つトイガンに応用することができ、往復移動のリアルな射撃効果を得ることができる。
【００１６】
以上で述べた説明は、本考案の最良の実施例に基づくものであり、本考案の特許範囲を制限するものではなく、本考案の明細書及び図面の内容に基づく同等効果を得る構造を直接的または間接的にその他関連技術領域に運用したものはすべて、本考案の要旨の範囲内に含まれるものとみなす。
【００１７】
上述のように、本考案は従来技術を打破する構造の下、確実にその増進を図る効果を達成することができ、且つ、関連技術を熟知した人物でなくとも容易に理解することができ、さらに、本考案はその出願以前に公開されたことがなく、その進歩性、実用性は実用新案登録出願の要件を満たしているため、法に基づきここに実用新案登録を出願するものである。
【図面の簡単な説明】
【００１８】
【図１】従来品の立体分解図である。
【図２】従来品の動作を示す側面断面図である。
【図３】本考案の立体分解図である。
【図４】本考案の動作を示す側面断面図である。
【図５】本考案の往復移動の動作を示す立体斜視図である。
【図６】本考案の立体断面図である。
【図７】本考案の往復移動の別の動作を示す立体斜視図である。
【符号の説明】
【００１９】
Ａ        トイガン
Ａ１      ボルト 
Ａ２      上銃身
Ａ３      ギアボックス
Ｂ        位置回復シリンダー
Ｂ１      弾性部材 
Ｃ        トイガン
Ｄ        上銃身
Ｅ        ギアボックス
Ｆ        ボルト部
Ｆ１      スライド突出部
Ｇ        スライド機構
Ｇ１      シリンダー機構
Ｇ２      気密ピストン 
Ｇ３      ピストンヘッド
Ｇ４      発射室
Ｈ        往復機構
Ｈ１      弾性部材
Ｈ２      小ピストン
Ｈ３      気密リング
【図１】
0003121578.tif 000003
【図２】
0003121578.tif 000004
【図３】
0003121578.tif 000005
【図４】
0003121578.tif 000006
【図５】
0003121578.tif 000007
【図６】
0003121578.tif 000008
【図７】
0003121578.tif 000009